(57)【要約】【課題】液晶バックライト装置に使用されるバックライト装置において、輝度均一性を優先させるとバックライト装置の小型化ができず、また小型化を優先させると輝度均一性が低下するという点を解決し、輝度均一性の向上とバックライト装置の小型化の両立を目的とする。【解決手段】１の冷陰極管を２の導光板側に曲げ、２の導光板の幅内に収まるように配置し、Ａ部分に光が導かれる状態にする。５の外装壁の小型化を図ることができ、４の冷陰極管電極（無発光部分）の輝度低下を防ぐことができる。【選択図】  図１
2004335293.tif 000002
【特許請求の範囲】
【請求項１】
表示デバイスの裏面側から光を照射するバックライト装置であって、本装置の平面方向端部に配され発光する発光手段と、前記発光手段から照射される光を本装置の平面方向へ導く導光手段とを備え、前記発光手段を前記導光手段側に湾曲させたことを特徴とするバックライト装置。
【請求項２】
表示デバイスの裏面側から光を照射するバックライト装置であって、本装置の平面方向端部に配され長手方向両端に無発光部分を有する発光手段と、前記発光手段から照射される光を本装置の平面方向へ導く導光手段とを備え、前記発光手段を前記導光手段側に湾曲させて前記導光手段に隣接配置させ、かつ前記発光手段の長手方向長さ寸法は前記導光手段の隣接部の長さ寸法と略同一またはそれ以下であることを特徴とすることを特徴とするバックライト装置。
【請求項３】
発光手段は、冷陰極管であることを特徴とする請求項１及び２記載のバックライト装置。
【請求項４】
導光手段は、発光手段の形状に合わせて凹部を形成したことを特徴とする請求項１及び２記載のバックライト装置。
【請求項５】
発光手段は、無発光部分以外の発光部分の長さ寸法は、導光手段の隣接部の長さ寸法未満であることを特徴とする請求項２記載のバックライト装置。
【請求項６】
導光手段の周囲全体または一部に、発光手段からの光を導光手段側へ反射する反射手段を配したことを特徴とする請求項１及び２記載のバックライト装置。
【発明の詳細な説明】
【０００１】
【発明の属する技術分野】
本発明は、バックライト構成を持つ液晶バックライト装置で冷陰極管と導光板で構成されるバックライト装置に関するものである。
【０００２】
【従来の技術】
近年、冷陰極管と導光板から構成されるバックライト装置は、導光板発光領域の輝度均一性向上のために冷陰極管の電極である無発光部分を、導光板発光領域外に配置している。
【０００３】
以下に、従来のバックライト装置について図面を用いて説明する。
【０００４】
図３は一般的なビデオカメラの全体構成を示す斜視図で、３１はビデオカメラ本体、３２はビデオカメラ本体３１に回動自在に配された液晶モニタ、３３はビデオカメラ本体３１に収納自在に配された電子ビューファインダ、３６は液晶モニタ３２をビデオカメラ本体３１に対して回動自在に保持しているヒンジである。近年、ビデオカメラには、図示のように２〜４型程度の大型液晶モニタ３２が搭載されるのが一般的になってきている。
【０００５】
図４は図３の液晶モニタ３２の平面図を示すものであり、図において、３４は液晶モニタ３２の略中央に設けられ映像信号などを表示する表示部で、一般的にはバックライト付きの液晶表示デバイスが用いられる。３５は表示部３４以外のの部分である外装部である。図示のように、表示部３４の周囲には、それぞれＬ２〜Ｌ５に示すような幅を有した外装部３５が存在している。この表示部３４周囲の外装部３５の内部には、バックライトや各種回路・配線などが内蔵されている。特に、Ｌ２に示す部分（左端部分）には、バックライトの冷陰極管が内蔵されており、寸法Ｌ２は大きくなってしまう。
【０００６】
図５は従来のバックライト装置の内部構成を示すものである。図５において、１は電源が供給されることにより発光する冷陰極管で、いわゆるバックライトに相当する。２は冷陰極管１から発光された光を導光板発光領域３に導く導光板、３は冷陰極管１からの光が導光板２により導かれ実際に発光する領域である導光板発光領域で、図４の表示部３４とほぼ同じ領域である。４は冷陰極管１の両端部に配され冷陰極管１内に電子ビームを出力する冷陰極管電極（無発光部分）、５は上記構成を覆っている外装壁である。
【０００７】
以上のように構成された従来のバックライト装置について、図面を用いて以下説明をする。
【０００８】
まず、電源回路（図示せず）から冷陰極管電極４に電源が供給されると、冷陰極管１が発光する。冷陰極管１から発光した光は導光板２に伝わり、導光板２から導光板発光領域３が光る。この時、冷陰極管電極４（無発光部分）は、導光板２より外側に配置されるため、外装壁５は必然的に上記全てを納めるサイズになっている。
【０００９】
つまり、冷陰極管１はその長手方向に対して垂直方向（図示の矢印方向）にしか光を発光しないため、効率良く光を導光板発光領域３に供給するには、冷陰極管１の発光領域Ｌ６と、導光板発光領域３の発光縦寸法Ｌ７を、だいたい同じ寸法にする必要がある。すると、冷陰極管１には、その上下両端に冷陰極管電極４が存在するため、その冷陰極管電極４の長さ寸法Ｌ８の分、外装壁の縦方向寸法を拡大する必要がある。従って、ビデオカメラ全体として縦方向のサイズが大きくなり、装置全体として大型化してしまう。このような問題を解決するために、以下の方法がある。
【００１０】
図６は、従来のバックライト装置において小型化を優先させた場合を示すものである。図５において、図４の構成と同一部分については同一番号を付与して、説明を省略する。１ａは図４の冷陰極管１の長さ寸法を小さくしたものであり、Ｌ９の長さ寸法を有している。ここで、Ｌ９＜（Ｌ８＊２＋Ｌ６）の関係となっている。
【００１１】
バックライト装置の小型化のため冷陰極管１ａの全長を図４の構成に比べて短くし、冷陰極管電極４（無発光部分）を導光板２の縦幅内に収まるように配置する。これにより、導光板２と導光板発光領域３の大きさを従来と変えることなく、外装壁５の小型化を図ることが出来る。
【００１２】
【特許文献１】
実開平０５−９０４４８号公報
【００１３】
【発明が解決しようとする課題】
しかしながら上記の従来の構成では、図５に示すように輝度均一性を優先させるとバックライト装置の小型化ができず、また図６に示すように小型化を優先させると、陰極管電極４（無発光部分）は導光板発光領域３の幅の内側に位置することにより、Ａ部分に輝度の低下が発生し、輝度均一性の低下が見られていた。このように従来の構成では、輝度均一性の向上とバックライト装置の小型化の両立がなされていなかったという問題点を有していた。
【００１４】
本発明は上記従来の問題点を解決するもので、冷陰極管を曲げることで輝度均一性と小型化を両立させたバックライト装置を提供することを目的とする。
【００１５】
【課題を解決するための手段】
この目的を達成するために本発明のバックライト装置は、表示デバイスの裏面側から光を照射するバックライト装置であって、本装置の平面方向端部に配され発光する発光手段と、前記発光手段から照射される光を本装置の平面方向へ導く導光手段とを備え、前記発光手段を前記導光手段側に湾曲させた構成を有している。
【００１６】
この構成によって、輝度均一性と小型化を両立できるという効果が得られる。
【００１７】
【発明の実施の形態】
本発明の請求項１〜６に記載の発明は、表示デバイスの裏面側から光を照射するバックライト装置であって、本装置の平面方向端部に配され発光する発光手段と、前記発光手段から照射される光を本装置の平面方向へ導く導光手段とを備え、前記発光手段を前記導光手段側に湾曲させたことにより、輝度均一性向上と小型化の特徴を有する。
【００１８】
以下、本発明の実施の形態について、図面を用いて説明する。
【００１９】
（実施の形態１）
図１は本発明の実施の形態のバックライト装置の構成を示す模式図である。
【００２０】
図１において、１１は電源が供給されることにより発光する発光手段である冷陰極管で、いわゆるバックライトに相当する。本実施の形態の冷陰極管１は図示のように湾曲させた形状を成している。１２は冷陰極管１１から発光された光を導光板発光領域３に導く導光手段である導光板で、本実施の形態の導光板１２における冷陰極管１１側の端面は、湾曲した冷陰極管１１の形状に合わせて、凹部１２ａが設けられている。３は冷陰極管１１からの光が導光板１２により導かれ実際に発光する領域である導光板発光領域で、図３の表示部３４とほぼ同じ領域である。４は冷陰極管１１の両端部に配され冷陰極管１１内に電子ビームを出力する冷陰極管電極で、無発光部分である。５は上記構成を覆っている外装壁である。なお、特に図示していないが、導光板発光領域３の上部に表示デバイスが配置され、その表示デバイスの背面側から光を照射することで、表示デバイスを良好に視認することができる構成となっている。
【００２１】
以上のように構成された本実施の形態のバックライト装置について、図面を用いて以下説明をする。
【００２２】
まず、電源回路（図示せず）から冷陰極管電極４に電源が供給されると、冷陰極管１１が発光する。冷陰極管１１から発光した光は導光板１２に伝わり、導光板１２から導光板発光領域３が光る。この時、冷陰極管電極４（無発光部分）は、導光板１２より外側に配置されるため、外装壁５は必然的に上記全てを納めるサイズになっている。
【００２３】
ここで、図１に示すように冷陰極管１１は導光板１２方向に向かって、湾曲した形状となっている。バックライト装置の小型化のため、冷陰極管１１を導光板１２の縦方向幅内に収まるように配置する。この時、冷陰極管電極４（無発光部分）は導光板発光領域３の縦方向幅の内側に位置するが、冷陰極管１１は導光板１２方向に向かって湾曲した形状となっているため、冷陰極管１１から発光する光は、矢印に示すように導光板１２に向かって放射状に出力され、したがって、従来構成において光が導かれていなかったＡ部分にも、良好に光が導かれる。
【００２４】
なお、導光板発光領域３の縦方向寸法Ｌ１０と冷陰極管１１の発光部分の長手方向寸法Ｌ１１とは、Ｌ１０＞Ｌ１１の関係となっている。また、導光板１２の縦方向寸法Ｌ１３と冷陰極管１１の縦方向寸法Ｌ１２との関係は、Ｌ１３≧Ｌ１２となっている。
【００２５】
以上のように本実施の形態によれば、冷陰極管１１を導光板１２に向かって曲げ、導光板１２の幅内に収まるように配置することにより、外装壁５の縦方向寸法Ｌ１を小さくすることができ装置全体の小型化を図ることができるとともに、冷陰極管電極４（無発光部分）による部分的（Ａ部）な輝度低下を防ぐことができる。
【００２６】
なお、本実施の形態において、冷陰極管１１は図示のような円弧としたが、少なくとも導光板１２側に湾曲していればこの形状に限定されるものではなく、導光板１２に向かってＵ字、Ｖ字に曲げても同様の効果が得られる。導光板１２における連陰極管１２側の端部形状も同様で、図示のような円弧形状に限定されるものではない。
【００２７】
なお、本実施の形態では、冷陰極管１１を図示左端に配置する構成としたが、当然ながら右端に配置する構成でもよく、また上端や下端に横方向に配置するようなバックライト装置に用いても有効である。本実施の形態では、冷陰極管１１を装置におけるヒンジ３６（図３）と対向した側面近傍に配置しており、このような構成により、冷陰極管１１とヒンジ３６の構成とが互いに干渉せず、配置に自由度が出る。例えば冷陰極管１１をヒンジ３６側の側面近傍に配置した場合、ヒンジ３６の構成部品（ネジや板金など）と冷陰極管１１とが互いに干渉する点を考慮して配置する必要があり、配置の自由度が制限されてしまう。
【００２８】
なお、特に図示はしていないが、冷陰極管１１が円弧形状になったことで、矢印Ｂ側から見た時の、冷陰極管１１の上下方向位置精度が懸念されるが、外装壁５で冷陰極管１１を上下方向から挟持して位置決めする構成としてもよいし、別途固定手段や位置決め手段を設けて位置決めする構成としてもよい。
【００２９】
（実施の形態２）
次に、本発明の実施の形態２について説明する。
【００３０】
図２は本実施の形態の表示部の模式図を示すものである。図１において、１１は電源が供給されることにより発光する発光手段である冷陰極管で、いわゆるバックライトに相当する。本実施の形態の冷陰極管１は図示のように湾曲させた形状を成している。１２は冷陰極管１１から発光された光を導光板発光領域３に導く導光手段である導光板で、本実施の形態の導光板１２における冷陰極管１１側の端面は、湾曲した冷陰極管１１の形状に合わせて、凹部１２ａが設けられている。３は冷陰極管１１からの光が導光板１２により導かれ実際に発光する領域である導光板発光領域で、図３の表示部３４とほぼ同じ領域である。４は冷陰極管１１の両端部に配され冷陰極管１１内に電子ビームを出力する冷陰極管電極で、無発光部分である。５は上記構成を覆っている外装壁である。６は導光板発光領域３の上下に配され光を反射させる反射手段である反射部で、図中点線矢印にて示すように、冷陰極管１１の電極４に近い部分から出力された光を、導光板発光領域３側へ反射させるために配置されたものである。この反射部５としては、例えば厚みが薄いシート状の反射シートで構成すると、全体の大きさを極端に大きくせずに配置することができる。
【００３１】
以上のように構成された本実施の形態のバックライト装置について、図面を用いて以下説明をする。
【００３２】
まず、電源回路（図示せず）から冷陰極管電極４に電源が供給されると、冷陰極管１１が発光する。冷陰極管１１から発光した光は導光板１２に伝わり、導光板１２から導光板発光領域３が光る。この時、冷陰極管電極４（無発光部分）は、導光板１２より外側に配置されるため、外装壁５は必然的に上記全てを納めるサイズになっている。
【００３３】
本実施の形態では、導光板発光領域３の上下に反射部６を配している。そうすることで、冷陰極管１１における電極４に近い部分から出力される光を、反射部６で反射させて導光板発光領域３側へ導くことができる。
【００３４】
以上のように本実施の形態によれば、導光板発光領域３よりも外部へ出ようとする光を、再度発光領域にて用いることができ、光の無駄を省くことができる。また、冷陰極管１１から最も遠い位置である、導光板発光領域３の図示右端側において、光の到達距離が長くなることによる発光量の現象を、軽減することができる。
【００３５】
なお、本実施の形態では、反射部６を導光板１２の上下に配置したが、配置個所はこれに限定されるものではない。また、反射部６の形態は、導光板反射領域３の長手方向寸法と略同一長さ寸法を有しているが、冷陰極管１１から照射される光が外部に漏れる可能性のある部位のみに設けてもよい。さらに、反射部６は上下それぞれで一部品としてあるが、分割配置してもよい。
【００３６】
【発明の効果】
以上のように本発明は、液晶表示画面の輝度均一性を低下させることなく、バックライト装置を小型化できるという優れた効果が得られる。
【図面の簡単な説明】
【図１】本発明の実施の形態１におけるバックライト装置の構成を示す模式図
【図２】本発明の実施の形態２におけるバックライト装置の構成を示す模式図
【図３】一般的なビデオカメラの構成を示す斜視図
【図４】ビデオカメラに搭載される液晶バックライト装置の構成を示す平面図
【図５】従来のバックライト装置の構成を示す模式図
【図６】従来のバックライト装置で小型を図る場合の構成を示す模式図
【符号の説明】
１  冷陰極菅
２  導光板
３  導光板発光領域
４  冷陰極菅電極（無発光部分）
５  外装壁
【図１】
2004335293.tif 000003
【図２】
2004335293.tif 000004
【図３】
2004335293.tif 000005
【図４】
2004335293.tif 000006
【図５】
2004335293.tif 000007
【図６】
2004335293.tif 000008